(57)【要約】【課題】岩石類を固定側圧砕部材及び可動側圧砕部材同士の間においてその幅方向へほぼ均等に導いて破砕する性能を向上させ得る破砕機を提供する。【解決手段】機枠台１０に固定された平板状の固定側圧砕部材１１と、固定側圧砕部材１１に対向した状態で当該固定側圧砕部材１１に対し接離可能に揺動するように回転軸１２に対し軸心１３が偏心した状態で支持された可動側圧砕部材１４と、回転軸１２を回転させる回転駆動手段１５とを備える。固定側圧砕部材１１及び可動側圧砕部材１４をその互いの間隔が下方に行くに従い減少するように配置する。上方から搬送された岩石類を受け止める受け部材３３を回転自在に設け、固定側圧砕部材１１及び可動側圧砕部材１４同士の間隔をその幅方向に亘ってほぼ埋めるように満たされた量Ｘの岩石類を受け部材３３が受け止めたときに、受け部材３３を下方に回転させて岩石類を投入口１７に向けて定期的に落下させている。【選択図】図１
2018176100.tif 000002
【特許請求の範囲】
【請求項１】
機枠台に固定された平板状の固定側圧砕部材と、
前記固定側圧砕部材に対向した状態で当該固定側圧砕部材に対し接離可能に揺動するようにこの固定側圧砕部材の幅方向へ水平に延びる回転軸に対し軸心が偏心した状態で支持された可動側圧砕部材と、
前記回転軸を回転させる回転駆動手段と、
を備え、
前記固定側圧砕部材及び前記可動側圧砕部材は、その互いの間隔が下方に行くに従い減少するように配置されているとともに、
上方から搬送手段により搬送された岩石類を前記固定側圧砕部材及び前記可動側圧砕部材の上部の広い間隔の投入口に向けて案内するホッパを備えており、
前記ホッパには、前記固定側圧砕部材及び前記可動側圧砕部材同士の間隔をその幅方向に亘ってほぼ埋めるように満たされた量の岩石類を前記投入口に向けて定期的に落下させる定期落下手段が設けられていることを特徴とする破砕機。
【請求項２】
前記定期落下手段は、
前記ホッパに水平軸を介して回転自在に設けられ、かつ前記搬送手段により搬送された岩石類を受け止める開口を有する受け部材と、
この受け部材で受け止めた岩石類が前記満たされた量の重さとなったときに自身の重さに抗して当該受け部材を下方に回転させる分銅と、
を備えている請求項１に記載の破砕機。
【請求項３】
前記受け部材は、前記水平軸を挟んで半径方向外方向きに開口を有して上下一対設けられているとともに、前記分銅は上下方向へ移動可能に設けられており、
前記分銅は、前記上下一対の受け部材のうちの一方の受け部材で受け止めた岩石類が前記満たされた量の重さとなったときに当該一方の受け部材の下方への反転に伴って上方から下方へ移動し、下方から上方へ反転した他方の受け部材を当該他方の受け部材で受け止められる岩石類が前記満たされた量の重さとなるまで自身の重さにより保持するように構成されている請求項２に記載の破砕機。
【発明の詳細な説明】
【技術分野】
【０００１】
本発明は、岩石類を圧砕して骨材を作る破砕機に関する。
【背景技術】
【０００２】
従来より、この種の破砕機としては、図３及び図４に示すように、機枠台１０に固定された平板状の固定側圧砕部材１１と、この固定側圧砕部材１１に対向した状態で当該固定側圧砕部材１１に対し接離可能に揺動するようにこの固定側圧砕部材１１の幅方向へ水平に延びる回転軸１２に対し軸心１３が偏心した状態で支持された可動側圧砕部材１４と、回転軸１２を回転させるモータなどの回転駆動手段１５とを備えたものが知られている（特許文献１参照）。
【０００３】
そして、固定側圧砕部材１１及び可動側圧砕部材１４は、その互いの間隔が下方に行くに従い減少するように配置されている。また、上方からベルトコンベアなどの搬送手段１６により搬送された岩石類を固定側圧砕部材１１及び可動側圧砕部材１４の上端同士の広い間隔の投入口１７に向けて案内するホッパ１８を備えたものもある。
【先行技術文献】
【特許文献】
【０００４】
【特許文献１】特公昭６２−６１３４０号公報
【発明の概要】
【発明が解決しようとする課題】
【０００５】
ところで、搬送手段１６により搬送される岩石類は、比較的少量ずつ搬送されるため、固定側圧砕部材１１及び可動側圧砕部材１４同士の間隔に投入口１７から投入されると、図５に示すように、固定側圧砕部材１１及び可動側圧砕部材１４同士の間においてその幅方向へほぼ均等に導かれることなく当該固定側圧砕部材１１及び可動側圧砕部材１４の偏った経路１９，１９，１９（図５では３箇所ずつ示す）に導かれる傾向にある。これは、岩石類の投入による凹みなどに起因するからである。その場合、凹みによって岩石類が通り易くなると、その偏った各経路１９がさらに顕著化して凹みが更に拡大し、岩石類の破砕が十分に行えない状態で送り出されてしまい、破砕機の性能が著しく悪化する。
【０００６】
本発明は、かかる点に鑑みてなされたものであり、その目的とするところは、投入口から投入された岩石類を固定側圧砕部材及び可動側圧砕部材同士の間においてその幅方向へほぼ均等に導いて岩石類を破砕する性能を向上させることができる破砕機を提供することにある。
【課題を解決するための手段】
【０００７】
前記目的を達成するため、本発明では、破砕機として、機枠台に固定された平板状の固定側圧砕部材と、前記固定側圧砕部材に対向した状態で当該固定側圧砕部材に対し接離可能に揺動するようにこの固定側圧砕部材の幅方向へ水平に延びる回転軸に対し軸心が偏心した状態で支持された可動側圧砕部材と、前記回転軸を回転させる回転駆動手段と、を備えたものを前提としている。更に、前記固定側圧砕部材及び前記可動側圧砕部材をその互いの間隔が下方に行くに従い減少するように配置するとともに、上方から搬送手段により搬送された岩石類を前記固定側圧砕部材及び前記可動側圧砕部材の上端同士の広い間隔の投入口に向けて案内するホッパを備えている。そして、前記ホッパに、前記固定側圧砕部材及び前記可動側圧砕部材同士の間隔をその幅方向に亘ってほぼ埋めるように満たされた量の岩石類を前記投入口に向けて定期的に落下させる定期落下手段を設けることを特徴としている。
【０００８】
また、前記定期落下手段に、前記ホッパに水平軸を介して回転自在に設けられ、かつ前記搬送手段により搬送された岩石類を受け止める開口を有する受け部材と、この受け部材で受け止めた岩石類が前記満たされた量の重さとなったときに自身の重さに抗して当該受け部材を下方に回転させる分銅と、を備えていてもよい。
【０００９】
更に、前記受け部材を、前記水平軸を挟んで半径方向外方向きに開口を有して上下一対設けるとともに、前記分銅を上下方向へ移動可能に設ける。そして、前記分銅を、前記上下一対の受け部材のうちの一方の受け部材で受け止めた岩石類が前記満たされた量の重さとなったときに当該一方の受け部材の下方への反転に伴って上方から下方へ移動し、下方から上方へ反転した他方の受け部材を当該他方の受け部材で受け止められる岩石類が前記満たされた量の重さとなるまで自身の重さにより保持するように構成していてもよい。
【発明の効果】
【００１０】
以上、要するに、上方から搬送手段により搬送された岩石類を、固定側圧砕部材及び可動側圧砕部材の上端同士の広い間隔の投入口に向けてそのまま落下させることなく、固定側圧砕部材及び可動側圧砕部材同士の間隔をその幅方向に亘ってほぼ埋めるように満たされた量となったときに投入口に向けて定期的に落下させることで、岩石類が固定側圧砕部材及び可動側圧砕部材同士の間においてその幅方向へほぼ均等に導かれる。このため、搬送手段により岩石類が比較的少量ずつ搬送されてきてもそのまま投入口に投入されることがなく、固定側圧砕部材及び可動側圧砕部材同士の間においてその幅方向の偏った経路に岩石類が導かれることがない。これにより、岩石類の投入による凹みなどがあってもその偏った経路に岩石類が集中せずに固定側圧砕部材及び可動側圧砕部材同士の間においてその幅方向へほぼ均等に導かれ、凹みの更なる拡大を抑制しつつ、岩石類の破砕を固定側圧砕部材及び可動側圧砕部材の幅方向全域を効率よく利用して破砕機の性能を十分に向上させることができる。
【００１１】
しかも、搬送手段により搬送された岩石類が固定側圧砕部材及び可動側圧砕部材の投入口に向けて定期的に投入されることにより、投入口への岩石類の投入が規制されている間の固定側圧砕部材及び可動側圧砕部材での粉砕時間が削減されて当該固定側圧砕部材及び可動側圧砕部材の消耗が抑制される上、固定側圧砕部材及び可動側圧砕部材の偏摩耗も抑制され、固定側圧砕部材及び可動側圧砕部材のセッティング調整を正確に行うことができる。
【００１２】
また、ホッパに水平軸を介して回転自在に設けた受け部材で受け止めた岩石類が満たされた量（固定側圧砕部材及び可動側圧砕部材同士の間隔をその幅方向に亘ってほぼ埋めるように満たされた量）の重さとなったときに分銅の重さに抗して当該受け部材を下方に回転させることで、固定側圧砕部材及び可動側圧砕部材同士の間隔をその幅方向に亘ってほぼ埋めるように満たされた量の重さとなった岩石類を、別途動力を必要とせずに自動的に投入口に向けて定期的に落下させることができる。
【００１３】
更に、水平軸を挟んで半径方向外方向きに開口を有する上下一対の受け部材のうちの一方の受け部材で受け止めた岩石類が満たされた量の重さとなったときに当該一方の受け部材の下方への反転に伴って分銅を上方から下方へ移動させ、下方から上方へ反転した他方の受け部材を当該他方の受け部材で受け止められる岩石類が満たされた量の重さとなるまで分銅自身の重さにより保持することで、一方の受け部材で受け止めた岩石類を投入口へ投入している最中であっても、搬送手段により搬送された岩石類を他方の受け部材で迅速に受け止めることができ、受け部材による岩石類の受け止め効率を向上させることができる。
【図面の簡単な説明】
【００１４】
【図１】本発明の実施の形態に係る破砕機の縦断側面図である。
【図２】図１の破砕機の縦断正面図である。
【図３】従来例に係る破砕機の縦断側面図である。
【図４】図３の破砕機の縦断正面図である。
【図５】図３の破砕機の固定側圧砕部材及び可動側圧砕部材を上方から見た横断平面図である。
【発明を実施するための形態】
【００１５】
以下、本発明の実施の形態を図面に基づいて説明する。
【００１６】
図１は本発明の実施の形態に係る破砕機の縦断側面図、図２は破砕機の縦断正面図をそれぞれ示している。
【００１７】
図１及び図２において、破砕機１は、機枠台１０に固定された平板状の固定側圧砕部材１１と、この固定側圧砕部材１１に対向した状態で機枠台１０に支持された可動側圧砕部材１４とを備えている。
【００１８】
可動側圧砕部材１４は、その下端部付近が固定側圧砕部材１１及び可動側圧砕部材１４の幅方向へ水平に延びるピボット軸２１を介して機枠台１０に支持されている。この可動側圧砕部材１４の下端は、スプリング２２を介して機枠台１０に支持され、固定側圧砕部材１１の下端に対しスプリング２２の付勢力によって引き離すことで、固定側圧砕部材１１の下端に対する間隔が確保されるようにしている。更に、可動側圧砕部材１４の上端は、回転駆動手段１５を介して機枠台１０に支持されている。
【００１９】
回転駆動手段１５は、機枠台１０に取り付けられたモータ２３と、このモータ２３の出力側プーリ２４にベルト２５を介して駆動連結されたプーリ２６と、このプーリ２６の回転軸１２に対し可動側圧砕部材１４の上端の軸芯１３を若干偏心した状態で支持する偏心機構２８とを備えている。そして、可動側圧砕部材１４は、回転駆動手段１５によって固定側圧砕部材１１に対し接離可能に揺動するように構成されている。
【００２０】
また、固定側圧砕部材１１及び可動側圧砕部材１４は、その互いの間隔が下方に行くに従い減少するように配置され、上端同士の広い間隔に投入口１７を有している。更に、破砕機１の上方には、搬送手段としてのベルトコンベア１６が設けられている。このベルトコンベア１６は、コンクリート製構造物を壊した際のコンクリート片を含む岩石類が搬送され、その搬出端（図１では右端）から下方へ投下される。
【００２１】
更に、機枠台１０には、ベルトコンベア１６により搬送されて搬出端より投下された岩石類を固定側圧砕部材１１及び可動側圧砕部材１４の上端同士の広い間隔の投入口１７に向けて案内するホッパ１８が設けられている。このホッパ１８は、その幅方向において互いに向き合う左右一対の側壁１８１，１８１を備えている。なお、ホッパ１８は、その前後両方向において側壁の前後両端をそれぞれ遮蔽する前後一対の遮蔽板１８２，１８２を備えている。
【００２２】
ホッパ１８には、固定側圧砕部材１１及び可動側圧砕部材１４同士の間隔をその幅方向に亘ってほぼ埋めるように満たされた量Ｘの岩石類を投入口１７に向けて定期的に落下させる定期落下手段３が設けられている。この定期落下手段３は、ホッパ１８に水平軸３１を介して回転自在に設けられ、かつベルトコンベア１６により搬送された岩石類を受け止める開口３２を有する受け部材３３と、この受け部材３３の左右両側壁１８１，１８１に設けられ、当該受け部材３３で受け止めた岩石類が満たされた量Ｘ（固定側圧砕部材１１及び可動側圧砕部材１４同士の間隔をその幅方向に亘ってほぼ埋めるように満たされた量）の重さとなったときに自身の重さに抗して当該受け部材３３を下方に回転させる分銅３４とを備えている。
【００２３】
受け部材３３は、岩石類が満たされた量Ｘの重さとなったときの重心が水平軸３１よりも回転方向一側（図１では右側）に位置しているため、岩石類が満たされた量Ｘの重さとなったときに分銅３４の重さに抗して開口３２を下方へ向けるように回転方向一側（図１に矢印で示す方向）に回転する。
【００２４】
そして、受け部材３３は、水平軸３１を挟んで半径方向外方向きにそれぞれ開口３２を有するように上下一対設けられている。また、分銅３４は、ホッパ１８の左右両側壁１８１，１８１より突出する水平軸３１の両端に固着された上下方向へ延びる支持部材３５の上下両端間に連結されたロッド３６に挿通されて上下方向へ移動可能に設けられている。そして、各分銅３４は、上下一対の受け部材３３，３３のうちの一方の受け部材３３（図１及び図２では上側）で受け止めた岩石類が満たされた量Ｘの重さとなったときに当該一方の受け部材３３の下方への反転に伴って上方から下方へ移動し、下方から上方へ反転した他方の受け部材３３を当該他方の受け部材３３で受け止められる岩石類が満たされた量Ｘの重さとなるまで自身の重さにより保持するように構成されている。
【００２５】
また、固定側圧砕部材１１及び可動側圧砕部材１４は、その下端同士の狭い間隔に排出口３７を有している。排出口３７の下方には、固定側圧砕部材１１及び可動側圧砕部材１４同士の間で破砕された岩石類（骨材）を搬出する搬出用コンベアベルト３８が設けられている。また、機枠台１０には、排出口３７から排出される破砕後の骨材を搬出用コンベアベルト３８に案内する案内カバー３９が設けられている。
【００２６】
したがって、本実施の形態では、上方からベルトコンベア１６により搬送された岩石類を、固定側圧砕部材１１及び可動側圧砕部材１４の上端同士の広い間隔の投入口１７に向けてそのまま落下させることなく、固定側圧砕部材１１及び可動側圧砕部材１４同士の間隔をその幅方向に亘ってほぼ埋めるように満たされた量Ｘとなったときに投入口１７に向けて定期的に落下させるようにしているので、岩石類が固定側圧砕部材１１及び可動側圧砕部材１４同士の間においてその幅方向へほぼ均等に導かれる。
【００２７】
このため、ベルトコンベア１６により岩石類が比較的少量ずつ搬送されてきてもそのまま投入口１７に投入されることがなく、固定側圧砕部材１１及び可動側圧砕部材１４同士の間においてその幅方向の偏った経路に岩石類が導かれることがない。これにより、岩石類の投入による凹みなどがあってもその偏った経路に岩石類が集中せずに固定側圧砕部材１１及び可動側圧砕部材１４同士の間においてその幅方向へほぼ均等に導かれ、凹みの更なる拡大を抑制しつつ、岩石類の破砕を固定側圧砕部材１１及び可動側圧砕部材１４の幅方向全域を効率よく利用して破砕機１の性能を十分に向上させることができる。
【００２８】
しかも、受け部材３３で受け止めた岩石類が満たされた量Ｘの重さとなったときにベルトコンベア１６から投入口１７への岩石類の投入が定期的に行われるので、受け部材３３で受け止めた岩石類が満たされた量Ｘの重さとなるまで投入口１７への岩石類の投入が規制されている間の固定側圧砕部材１１及び可動側圧砕部材１４での粉砕時間が削減されて、当該固定側圧砕部材１１及び可動側圧砕部材１４の消耗が抑制される上、固定側圧砕部材１１及び可動側圧砕部材１４の偏摩耗も抑制され、固定側圧砕部材１１及び可動側圧砕部材１４のセッティング調整を正確に行うことができる。
【００２９】
また、ホッパ１８に水平軸３１を介して回転自在に設けた受け部材３３で受け止めた岩石類が満たされた量Ｘの重さとなったときに分銅３４の重さに抗して当該受け部材３３が下方に回転するので、固定側圧砕部材１１及び可動側圧砕部材１４同士の間隔をその幅方向に亘ってほぼ埋めるように満たされた量Ｘの重さとなった岩石類を、別途動力を必要とせずに自動的に投入口１７に向けて定期的に落下させることができる。
【００３０】
更に、水平軸３１を挟んで半径方向外方向きに開口３２を有する上下一対の受け部材３３，３３のうちの一方の受け部材３３で受け止めた岩石類が満たされた量Ｘの重さとなったときに当該一方の受け部材３３の下方への反転に伴って分銅３４を上方から下方へ移動させ、下方から上方へ反転した他方の受け部材３３を当該他方の受け部材３３で受け止められる岩石類が満たされた量Ｘの重さとなるまで分銅３４自身の重さにより保持するようにしているので、一方の受け部材３３で受け止めた岩石類を投入口１７へ投入している最中であっても、ベルトコンベア１６により搬送された岩石類を他方の受け部材３３で迅速に受け止めることができ、受け部材３３による岩石類の受け止め効率を向上させることができる。
【００３１】
本発明は、前記実施の形態に限定されるものではなく、その他種々の変形例を包含している。例えば、前記実施の形態では、受け部材３３を水平軸３１を挟んで半径方向外方向きに開口３２を有して上下一対設けるとともに、分銅を上下方向へ移動可能に設けたが、単一の受け部材を直径方向一側に、分銅を直径方向他側にそれぞれ設け、受け部材で受け止めた岩石類が満たされた量の重さとなったときに受け部材を下方へ反転させて投入口へ投下すると同時に分銅の重さにより元の位置に戻すことが繰り返されるようにしていてもよい。
【００３２】
また、本実施の形態では、受け部材３３で受け止めた岩石類が満たされた量Ｘの重さとなったときに分銅３４の重さに抗して当該受け部材３３を水平軸３１回りに下方に回転させたが、水平軸を回転させるモータなどの駆動手段を設けるとともに、受け部材で受け止めた岩石類が満たされた量の重さとなったことを計測する計測手段とを設け、計測手段が受け部材で受け止めた岩石類が満たされた量の重さとなったことを計測したときに駆動手段により受け部材を水平軸回りに下方に回転させるようにしてもよい。
【符号の説明】
【００３３】
１０      機枠台
１１      固定側圧砕部材
１２      回転軸
１３      軸心
１４      可動側圧砕部材
１５      回転駆動手段
１６      コンベアベルト（搬送手段）
１７      投入口
１８      ホッパ
３        定期落下手段
３１      水平軸
３２      開口
３３      受け部材
３４      分銅
Ｘ        固定側圧砕部材及び可動側圧砕部材同士の間隔をその幅方向に亘ってほぼ埋めるように満たされた量の岩石類
【図１】
2018176100.tif 000003
【図２】
2018176100.tif 000004
【図３】
2018176100.tif 000005
【図４】
2018176100.tif 000006
【図５】
2018176100.tif 000007